(57)【要約】【課題】伝送モジュールの内部でのデータ信号間の位相関係を許容範囲内に保つ。【解決手段】データ信号伝送装置１は、装置本体１ａの複数のスロット２に選択的に装着される伝送モジュール３から複数レーンで位相を許容範囲内に揃えてデータ信号を伝送するものであり、装置本体１ａの周囲温度を測定する本体温度測定部７と、スロット２に装着された伝送モジュール３の内部温度を測定するモジュール温度測定部８と、スロット２に装着された伝送モジュール３のモジュール情報を取得するモジュール情報取得部１０ａと、予め設定される伝送モジュール３毎の補正係数に基づいてスロット２に装着された伝送モジュール３の可変ディレイ素子９の補正値を算出する温度補正処理部１０ｃと、スロット２に装着された伝送モジュール３の可変ディレイ素子９のディレイ量を補正値に基づいて補正する可変ディレイ制御部１０ｄとを備える。【選択図】図１
2020115627.tif 000002
【特許請求の範囲】
【請求項１】
装置本体（１ａ）の複数のスロット（２）に選択的に装着される伝送モジュール（３）から複数レーンで位相を許容範囲内に揃えてデータ信号を伝送するデータ信号伝送装置（１）であって、
前記装置本体の周囲温度を測定する本体温度測定部（７）と、
前記スロットに装着された伝送モジュールの内部温度を測定するモジュール温度測定部（８）と、
前記スロットに装着された伝送モジュールのモジュール情報を取得するモジュール情報取得部（１０ａ）と、
予め設定される前記伝送モジュール毎の補正係数に基づいて前記スロットに装着された伝送モジュールの可変ディレイ素子（９）の補正値を算出する温度補正処理部（１０ｃ）と、
前記スロットに装着された伝送モジュールの可変ディレイ素子のディレイ量を前記補正値に基づいて補正する可変ディレイ制御部（１０ｄ）とを備えたことを特徴とするデータ信号伝送装置。
【請求項２】
前記装置本体（１ａ）の周囲温度と前記伝送モジュール（３）毎の内部温度の少なくとも一方が予め設定された閾値温度を超えたときに、前記補正値に基づいて前記装置本体のスロット（２）に装着された伝送モジュールの可変ディレイ素子（９）のディレイ量を補正することを特徴とする請求項１に記載のデータ信号伝送装置。
【請求項３】
前記装置本体（１ａ）の周囲温度と前記伝送モジュール（３）毎の内部温度の少なくとも一方が予め設定された閾値温度を超えたときに、その旨を通知する通知画面（５ａ）を表示するとともに、前記通知画面上の補正指示ボタン（１１）の操作により前記補正値に基づいて前記装置本体のスロット（２）に装着された伝送モジュールの可変ディレイ素子（９）のディレイ量を補正することを特徴とする請求項１に記載のデータ信号伝送装置。
【請求項４】
装置本体（１ａ）の複数のスロット（２）に選択的に装着される伝送モジュール（３）から複数レーンで位相を許容範囲内に揃えてデータ信号を伝送するデータ信号伝送方法であって、
装置本体の周囲温度を測定するステップと、
前記スロットに装着された伝送モジュールの内部温度を測定するステップと、
前記スロットに装着された伝送モジュールのモジュール情報を取得するステップと、
予め設定される前記伝送モジュール毎の補正係数に基づいて前記スロットに装着された伝送モジュールの可変ディレイ素子（９）の補正値を算出するステップと、
前記装置本体のスロットに装着された伝送モジュールの可変ディレイ素子のディレイ量を前記補正値に基づいて補正するステップとを含むことを特徴とするデータ信号伝送方法。
【請求項５】
前記装置本体（１ａ）の周囲温度と前記伝送モジュール（３）毎の内部温度の少なくとも一方が予め設定された閾値温度を超えたときに、前記補正値に基づいて前記装置本体のスロット（２）に装着された伝送モジュールの可変ディレイ素子（９）のディレイ量を補正するステップを含むことを特徴とする請求項４に記載のデータ信号伝送方法。
【請求項６】
前記装置本体（１ａ）の周囲温度と前記伝送モジュール（３）毎の内部温度の少なくとも一方が予め設定された閾値温度を超えたときに、その旨を通知する通知画面（５ａ）を表示するステップと、
前記通知画面上の補正指示ボタン（１１）の操作により前記補正値に基づいて前記装置本体のスロット（２）に装着された伝送モジュールの可変ディレイ素子（９）のディレイ量を補正するステップとを含むことを特徴とする請求項４に記載のデータ信号伝送方法。
【発明の詳細な説明】
【技術分野】
【０００１】
本発明は、複数レーンで高速ディジタル信号を伝送するデータ信号伝送装置およびデータ信号伝送方法に関する。
【背景技術】
【０００２】
Ｄａｔａ  ＣｅｎｔｅｒやＮｅｔｗｏｒｋの通信量は増加の一途を辿っており、物理層デバイス・モジュールに求められる伝送速度も高速・大容量化が進んでいる。
【０００３】
例えばＩＥＥＥ  ４００Ｇ規格のように、高速・大容量化する通信に対応するため、複数レーンでディジタル信号を伝送する装置が要求されており、シンボルレートの高速化によって、１シンボルあたりの時間軸方向のマージンは狭くなっており、タイミングエラーを起こすことなくデータ信号を伝送することが難しくなっている。
【０００４】
ところで、従来、複数の高速ディジタル信号の伝送モジュールが１つの筐体に内蔵されるモジュール方式のデータ伝送装置の場合、伝送モジュール内部でのパラレルデータ信号と他のデータ信号の位相関係を最適に保つために、可変ディレイ素子が用いられる。この可変ディレイ素子としては、例えば下記特許文献１に開示される可変遅延器の他、電圧制御や制御端子のビット制御によりディレイ量が制御される電子ディレイが知られている。
【先行技術文献】
【特許文献】
【０００５】
【特許文献１】特開平１１−１６３６０８号公報
【発明の概要】
【発明が解決しようとする課題】
【０００６】
しかしながら、可変ディレイ素子としての電子ディレイは、一般的に温度特性を持ち、温度によってＰｒｏｐａｇａｔｉｏｎ  Ｄｅｌａｙ（伝搬遅延）が変化してしまう。このため、伝送モジュールの内部の温度変化によって最適化したデータ信号と他のデータ信号の位相関係にずれが生じてしまい、タイミングエラーを発生させてしまうという問題があった。
【０００７】
また、データ伝送装置における伝送モジュールの内部の温度は、機器の周囲温度によっても変化して最適点からずれが生じてしまう。さらに、伝送モジュールが装着されるスロットの位置によっても装置内の空気の流れが変わって伝送モジュールの内部に温度差が生じ、同様に最適点からずれが生じてしまうという問題があった。
【０００８】
そこで、本発明は上記問題点に鑑みてなされたものであって、伝送モジュールの内部でのデータ信号間の位相関係を許容範囲内に保つことが可能なデータ信号伝送装置およびデータ信号伝送方法を提供することを目的としている。
【課題を解決するための手段】
【０００９】
上記目的を達成するため、本発明に係るデータ信号伝送装置は、装置本体１ａの複数のスロット２に選択的に装着される伝送モジュール３から複数レーンで位相を許容範囲内に揃えてデータ信号を伝送するデータ信号伝送装置１であって、
前記装置本体の周囲温度を測定する本体温度測定部７と、
前記スロットに装着された伝送モジュールの内部温度を測定するモジュール温度測定部８と、
前記スロットに装着された伝送モジュールのモジュール情報を取得するモジュール情報取得部１０ａと、
予め設定される前記伝送モジュール毎の補正係数に基づいて前記スロットに装着された伝送モジュールの可変ディレイ素子９の補正値を算出する温度補正処理部１０ｃと、
前記スロットに装着された伝送モジュールの可変ディレイ素子のディレイ量を前記補正値に基づいて補正する可変ディレイ制御部１０ｄとを備えたことを特徴とする。
【００１０】
本発明に係るデータ信号伝送装置は、前記装置本体１ａの周囲温度と前記伝送モジュール３毎の内部温度の少なくとも一方が予め設定された閾値温度を超えたときに、前記補正値に基づいて前記装置本体のスロット２に装着された伝送モジュールの可変ディレイ素子９のディレイ量を補正してもよい。
【００１１】
本発明に係るデータ信号伝送装置は、前記装置本体１ａの周囲温度と前記伝送モジュール３毎の内部温度の少なくとも一方が予め設定された閾値温度を超えたときに、その旨を通知する通知画面５ａを表示するとともに、前記通知画面上の補正指示ボタン１１の操作により前記補正値に基づいて前記装置本体のスロット２に装着された伝送モジュールの可変ディレイ素子９のディレイ量を補正してもよい。
【００１２】
本発明に係るデータ信号伝送方法は、装置本体１ａの複数のスロット２に選択的に装着される伝送モジュール３から複数レーンで位相を許容範囲内に揃えてデータ信号を伝送するデータ信号伝送方法であって、
装置本体の周囲温度を測定するステップと、
前記スロットに装着された伝送モジュールの内部温度を測定するステップと、
前記スロットに装着された伝送モジュールのモジュール情報を取得するステップと、
予め設定される前記伝送モジュール毎の補正係数に基づいて前記スロットに装着された伝送モジュールの可変ディレイ素子９の補正値を算出するステップと、
前記装置本体のスロットに装着された伝送モジュールの可変ディレイ素子のディレイ量を前記補正値に基づいて補正するステップとを含むことを特徴とする。
【００１３】
本発明に係るデータ信号伝送方法は、前記装置本体１ａの周囲温度と前記伝送モジュール３毎の内部温度の少なくとも一方が予め設定された閾値温度を超えたときに、前記補正値に基づいて前記装置本体のスロット２に装着された伝送モジュールの可変ディレイ素子９のディレイ量を補正するステップを含んでもよい。
【００１４】
本発明に係るデータ信号伝送方法は、前記装置本体１ａの周囲温度と前記伝送モジュール３毎の内部温度の少なくとも一方が予め設定された閾値温度を超えたときに、その旨を通知する通知画面５ａを表示するステップと、
前記通知画面上の補正指示ボタン１１の操作により前記補正値に基づいて前記装置本体のスロット２に装着された伝送モジュールの可変ディレイ素子９のディレイ量を補正するステップとを含んでもよい。
【発明の効果】
【００１５】
本発明によれば、伝送モジュールの内部でのパラレルデータ信号と他のデータ信号の位相関係を許容範囲内に保つことが可能となり、シンボルレートの高速化に対応することができる。
【図面の簡単な説明】
【００１６】
【図１】本発明に係るデータ信号伝送装置の要部の概略構成を示すブロック図である。
【図２】本発明に係るデータ信号伝送装置の外観を示す斜視図である。
【図３】本発明において可変ディレイ素子のディレイ量の補正後に閾値を超える温度変化があった場合の通知例を示す図である。
【図４】本発明において可変ディレイ素子のディレイ量を制御する場合の処理手順を示すフローチャートである。
【発明を実施するための形態】
【００１７】
以下、本発明を実施するための形態について、添付した図面を参照しながら詳細に説明する。
【００１８】
図２に示すように、本実施の形態のデータ信号伝送装置１は、矩形状の筐体からなる装置本体１ａの側面部の開口部１ｂ内に備えた複数のスロット２に対し、複数の伝送モジュール３の増設、取り外し、組み換えが自由に行え、複数レーンで位相を許容範囲内に揃えてデータ信号（高速ディジタル信号）を伝送するモジュール方式の装置である。
【００１９】
すなわち、データ信号伝送装置１は、複数の伝送モジュール３が装置本体１ａに内蔵され、かつ同一または異なる種類の伝送モジュール３を任意に組み合わせて装置本体１ａのスロット２に装着できるため、伝送モジュール３の装着位置が不定である。
【００２０】
伝送モジュール３は、任意のスロット２に装着した状態において、記憶部や制御部を実装した制御回路基板（不図示）と電気的に接続される。また、制御回路基板には操作部４や表示部５なども配線接続される。
【００２１】
本実施の形態のデータ信号伝送装置１は、図１に示すように、操作部４、表示部５、記憶部６、本体温度測定部７、モジュール温度測定部８、可変ディレイ素子９、制御部１０を備えており、各伝送モジュール３の可変ディレイ素子９の温度特性を補正する機能を有する。
【００２２】
操作部４は、例えば表示部５の表示画面上のポインタやアイコンを操作するマウスやタッチスクリーンなどのポインティングデバイス、装置本体１ａに設けられるキー、スイッチ、ボタンなどを含み、装置本体１ａのスロット２に装着された各伝送モジュール３の設定（振幅設定、送信パターン設定、シンボルレート（周波数）設定、送信エンファシス設定など）を行う際に操作される。
【００２３】
表示部５は、例えば、装置本体１ａの前面に装備された液晶表示器などで構成される。表示部５は、操作部４の操作に基づく制御部１０の制御により、伝送モジュール３の設定画面を表示画面上に表示する。
【００２４】
また、表示部５は、制御部１０の制御により、図３に示す通知画面５ａを表示する。この通知画面５ａには、後述する図４の補正制御の実行を指示するためのソフトキーからなる補正指示ボタン（図４ではＣａｌｉｂｒａｔｉｏｎと表記）１１が表示される。
【００２５】
補正指示ボタン１１は、矩形状の通知ランプ１１ａを有する。通知ランプ１１ａは、後述する各伝送モジュール３の可変ディレイ素子９のディレイ量の補正制御を行った時からの装置本体１ａの周囲温度や各伝送モジュール３の内部温度の温度差が予め設定される閾値を超えたときに、表示制御部１０ｅの制御により点灯し、ユーザが後述する図４の補正制御の実行を指示するために補正指示ボタン１１を押下すると消灯する。
【００２６】
記憶部６は、スロット２に装着された伝送モジュール３の可変ディレイ素子９のディレイ量を補正するための伝送モジュール３毎の補正係数情報を記憶する。また、記憶部６は、例えばパターン信号の振幅、データパターンのビット数やビット列、パターン信号を出力するタイミングなどの伝送モジュール３毎の設定情報を記憶する。
【００２７】
本体温度測定部７は、例えばサーミスタ、熱電対などの温度センサで構成され、装置本体１ａの周囲温度を測定する。
【００２８】
モジュール温度測定部８は、各伝送モジュール３毎に設けられ、本体温度測定物１３と同様に、例えばサーミスタ、熱電対などの温度センサで構成され、伝送モジュール３の内部温度を測定する。
【００２９】
可変ディレイ素子９は、制御部１０による電圧制御や制御端子へのビット制御によりディレイ量が可変制御される電子ディレイで構成され、各伝送モジュール３の各レーン毎に設けられる。
【００３０】
制御部１０は、複数レーンで所望のデータ信号（高速ディジタル信号）を伝送する際に装置全体を統括制御するもので、モジュール情報取得部１０ａ、温度監視部１０ｂ、温度補正処理部１０ｃ、可変ディレイ制御部１０ｄ、表示制御部１０ｅを備える。
【００３１】
モジュール情報取得部１０ａは、装置本体１ａのスロット２に装着された伝送モジュール３を特定する情報（例えば型番など）をモジュール情報として各スロット２ごとに取得する。
【００３２】
温度監視部１０ｂは、本体温度測定部７にて測定した装置本体１ａの周囲温度とモジュール温度測定部８にて測定した各伝送モジュール３毎の内部温度を取得し、装置本体１ａの周囲温度および各伝送モジュール３の内部温度を監視する。
【００３３】
温度補正処理部１０ｃは、モジュール情報取得部１０ａにて取得したモジュール情報、温度監視部１０ｂにて監視される温度監視結果（装置本体１ａの周囲温度、各伝送モジュール３の内部温度）、記憶部６に記憶された伝送モジュール３毎の補正係数情報に基づいて各伝送モジュール３毎の可変ディレイ素子９の補正値を算出する。
【００３４】
可変ディレイ制御部１０ｄは、温度補正処理部１０ｃにて算出された補正値に基づいてスロット２に装着された伝送モジュール３の可変ディレイ素子９のディレイ量を伝送モジュール３毎に制御する。
【００３５】
表示制御部１０ｅは、温度補正処理部１０ｃから可変ディレイ制御部１０ｄを介して各伝送モジュール３の可変ディレイ素子９の補正を行ったときに、本体温度測定部７にて測定される装置本体１ａの周囲温度とモジュール温度測定部８にて測定される各伝送モジュール３の内部温度の少なくとも一方が予め設定される閾値を超えると、図３の通知画面５ａを表示するように表示部５の表示を制御する。
【００３６】
次に、上記のように構成されるデータ信号伝送装置１において可変ディレイ素子９のディレイ量の補正制御を行う場合の動作について図４を参照しながら説明する。
【００３７】
まず、制御部１０のモジュール情報取得部１０ａは、装置本体１ａのスロット２に装着された各伝送モジュール３のモジュール情報（各伝送モジュール３の型番）を取得する（ＳＴ１）。
【００３８】
また、温度監視部１０ｂは、本体温度測定部７にて測定される装置本体１ａの周囲温度およびモジュール温度測定部８にて測定される各伝送モジュール３の内部温度を取得する（ＳＴ２）。
【００３９】
続いて、温度補正処理部１０ｃは、モジュール情報取得部１０ａにて取得したモジュール情報、温度監視部１０ｂにて監視される温度監視結果（装置本体１ａの周囲温度、各伝送モジュール３の内部温度）、記憶部６に記憶される伝送モジュール３毎の補正係数情報から各伝送モジュール３毎の可変ディレイ素子９の補正値を算出する（ＳＴ３）。
【００４０】
そして、可変ディレイ制御部１０ｄは、温度補正処理部１０ｃにて算出された補正値を取得し、取得した補正値により各伝送モジュール３の可変ディレイ素子９のディレイ量を制御する（ＳＴ４）。
【００４１】
上述した各伝送モジュール３の可変ディレイ素子９のディレイ量が補正された後は、温度監視部１０ｂが装置本体１ａの周囲温度と各伝送モジュール３の内部温度のそれぞれの変化を監視する。そして、補正を行った時からの温度差が予め設定される閾値を超えたときに、表示制御部１０ｅの制御により表示部５に図３の通知画面５ａを表示し、その旨をユーザに通知する。
【００４２】
そして、ユーザが図３の通知画面５ａ上の補正指示ボタン１１を押すと、図４の処理（ＳＴ１〜４）を実行して各伝送モジュール３の可変ディレイ素子９のディレイ量を制御し、その時点の温度でのデータ信号間の位相を許容範囲（例えば０．２５ＵＩ）の位相関係に合わせる。
【００４３】
なお、ユーザが図３の通知画面５ａ上の補正指示ボタン１１を押さなくても、補正を行った時からの温度差が予め設定される閾値を超えた場合には、図４の各伝送モジュール３の可変ディレイ素子９のディレイ量の補正制御を実行し、自動的にデータ信号間の位相を許容範囲（例えば０．２５ＵＩ）の位相関係に合わせるようにしてもよい。
【００４４】
また、伝送モジュール３がデータ信号を伝送している場合には、図４の各伝送モジュール３の可変ディレイ素子９のディレイ量の補正制御を実行せずにデータ信号の伝送を優先する。
【００４５】
上述した可変ディレイ素子９のディレイ量の補正制御によって、機器周囲温度やスロット構成による伝送モジュール３の内部温度の変化が生じた場合でも、データ信号と他のデータ信号の位相関係を許容範囲内に保ち、タイミングエラーを起こすこと無く、高速データ信号を伝送することが可能となる。
【００４６】
このように、本実施の形態によれば、各伝送モジュール３の可変ディレイ素子９の温度特性を補正する機能を備えることにより、伝送モジュール３の内部でのパラレルデータ信号と他のデータ信号の位相関係を許容範囲内に保つことが可能となり、シンボルレートの高速化に対応することができる。
【００４７】
以上、本発明に係るデータ信号伝送装置およびデータ信号伝送方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００４８】
１  データ信号伝送装置
１ａ  装置本体
１ｂ  開口部
２  スロット
３  伝送モジュール
４  操作部
５  表示部
５ａ  通知画面
６  記憶部
７  本体温度測定部
８  モジュール温度測定部
９  可変ディレイ素子
１０  制御部
１０ａ  モジュール情報取得部
１０ｂ  温度監視部
１０ｃ  温度補正処理部
１０ｄ  可変ディレイ制御部
１０ｅ  表示制御部
１１  補正指示ボタン
１１ａ  通知ランプ
【図１】
2020115627.tif 000003
【図２】
2020115627.tif 000004
【図３】
2020115627.tif 000005
【図４】
2020115627.tif 000006